【手続補正書】
【提出日】平成25年9月2日(2013.9.2)
【手続補正１】
【補正対象書類名】明細書
【補正対象項目名】発明の名称
【補正方法】変更
【補正の内容】
【発明の名称】撮像装置、撮像方法及びプログラム
【手続補正２】
【補正対象書類名】明細書
【補正対象項目名】０００１
【補正方法】変更
【補正の内容】
【０００１】
本発明は、撮像した画像を表示する撮像装置、撮像方法及びプログラムに関する。
【手続補正３】
【補正対象書類名】明細書
【補正対象項目名】０００６
【補正方法】変更
【補正の内容】
【０００６】
上述した課題を解決するために請求項１記載の発明は、
撮像した画像を表示する表示手段と、
前記表示手段を構成する画面の配設方向に対して略同方向を撮像方向とし、該画面を見る使用者を撮像する第１の撮像手段と、
前記第１の撮像手段により撮像された使用者の顔を検出する検出手段と、
前記検出手段により検出された使用者の顔或いは顔の部分の状態を判別する判別手段と、
前記判別手段により判別された顔或いは顔の部分の状態に応じて、前記表示手段に表示されている画像に対して画像処理を行う画像処理手段と、
を具備したことを特徴とする。
【手続補正４】
【補正対象書類名】明細書
【補正対象項目名】０００７
【補正方法】変更
【補正の内容】
【０００７】
請求項１に従属する発明として、
前記第１の撮像手段とは逆方向を撮像方向とし、被写体を撮像する第２の撮像手段を更に備え、
前記表示手段に表示される画像は、前記第２の撮像手段により撮像された画像である、
ことを特徴とする請求項２記載の発明であってもよい。
【手続補正５】
【補正対象書類名】明細書
【補正対象項目名】０００９
【補正方法】変更
【補正の内容】
【０００９】
請求項１或いは請求項３に従属する発明として、
前記第１の撮像手段は、その撮像方向として、前記表示手段の画面を見る使用者の顔を撮像する方向と該使用者と相対する被写体を撮像する方向に変更可能な撮影方向変更部を備える、
ようにしたことを特徴とする請求項４記載の発明であってもよい。
【手続補正６】
【補正対象書類名】明細書
【補正対象項目名】００１１
【補正方法】変更
【補正の内容】
【００１１】
請求項１〜請求項４のいずれかに従属する発明として、
前記判別手段は、前記使用者の瞳の色を判別し、
前記画像処理手段は、前記判別手段が判別した前記使用者の瞳の色に応じて、前記表示手段に表示されている瞳部分に所定の効果が得られるように、前記表示手段に表示されている画像に対する画像処理を行う、
ようにしたことを特徴とする、請求項６記載の発明であってもよい。
【手続補正７】
【補正対象書類名】明細書
【補正対象項目名】００１２
【補正方法】変更
【補正の内容】
【００１２】
請求項１〜請求項４のいずれかに従属する発明として、
前記判別手段は、前記使用者の年齢を判別し、
前記画像処理手段は、前記判別手段が判別した前記使用者の年齢に応じて、前記表示手段に表示されている顔或いは顔の部分に所定の効果が得られるように、前記表示手段に表示されている画像に対する画像処理を行う、
ようにしたことを特徴とする、請求項７記載の発明であってもよい。
【手続補正８】
【補正対象書類名】明細書
【補正対象項目名】００１３
【補正方法】変更
【補正の内容】
【００１３】
請求項１〜請求項４のいずれかに従属する発明として、
前記判別手段は、前記使用者の性別を判別し、
前記画像処理手段は、前記判別手段が判別した前記使用者の性別に応じて、前記表示手段に表示されている顔或いは顔の部分に所定の効果が得られるように、前記表示手段に表示されている画像に対する画像処理を行う、
ようにしたことを特徴とする、請求項８記載の発明であってもよい。
請求項１〜請求項４のいずれかに従属する発明として、
前記画像処理手段は、前記判別手段が判別した顔或いは顔の部分の状態に応じて、前記表示手段に表示されている画像の該顔或いは顔の部分を除く領域に所定の効果が得られるように、前記表示手段に表示されている画像に対する画像処理を行う、
ようにしたことを特徴とする、請求項９記載の発明であってもよい。
また、上述した課題を解決するために請求項１０記載の発明は、
撮像した画像を表示する表示手段と、前記表示手段を構成する画面の配設方向に対して略同方向を撮像方向とし、該画面を見る使用者を撮像する撮像手段と、を備えた撮像装置における撮像方法であって、
前記撮像手段により撮像された使用者の顔を検出する検出工程と、
前記検出工程により検出された使用者の顔或いは顔の部分の状態を判別する判別工程と、
前記判別工程により判別された顔或いは顔の部分の状態に応じて、前記表示手段に表示されている画像に対して画像処理を行う画像処理工程と、
を含むことを特徴とする撮像方法。
【手続補正９】
【補正対象書類名】明細書
【補正対象項目名】００１４
【補正方法】変更
【補正の内容】
【００１４】
また、上述した課題を解決するために請求項１１記載の発明は、
撮像した画像を表示する表示手段と、前記表示手段を構成する画面の配設方向に対して略同方向を撮像方向とし、該画面を見る使用者を撮像する撮像手段と、を備えた撮コンピュータに、
前記撮像手段により撮像された使用者の顔を検出する検出機能、
前記検出機能により検出された使用者の顔或いは顔の部分の状態を判別する判別機能、
前記判別機能により判別された顔或いは顔の部分の状態に応じて、前記表示手段に表示されている画像に対して画像処理を行う画像処理機能、
を実現させるためのプログラム、であることを特徴とする。
【手続補正１０】
【補正対象書類名】特許請求の範囲
【補正対象項目名】全文
【補正方法】変更
【補正の内容】
【特許請求の範囲】
【請求項１】
撮像した画像を表示する表示手段と、
前記表示手段を構成する画面の配設方向に対して略同方向を撮像方向とし、該画面を見る使用者を撮像する第１の撮像手段と、
前記第１の撮像手段により撮像された使用者の顔を検出する検出手段と、
前記検出手段により検出された使用者の顔或いは顔の部分の状態を判別する判別手段と、
前記判別手段により判別された顔或いは顔の部分の状態に応じて、前記表示手段に表示されている画像に対して画像処理を行う画像処理手段と、
を具備したことを特徴とする撮像装置。
【請求項２】
前記第１の撮像手段とは逆方向を撮像方向とし、被写体を撮像する第２の撮像手段を更に備え、
前記表示手段に表示される画像は、前記第２の撮像手段により撮像された画像である、
ことを特徴とする請求項１記載の撮像装置。
【請求項３】
画像を記憶する記憶手段を更に備え、
前記表示手段に表示される画像は、前記記憶手段に記憶されている画像である、
ことを特徴とする請求項１或いは請求項２記載の撮像装置。
【請求項４】
前記第１の撮像手段は、その撮像方向として、前記表示手段の画面を見る使用者の顔を撮像する方向と該使用者と相対する被写体を撮像する方向に変更可能な撮影方向変更部を備える、
ようにしたことを特徴とする請求項１或いは請求項３記載の撮像装置。
【請求項５】
前記判別手段は、前記使用者の顔の向きを判別し、
前記画像処理手段は、前記判別手段が判別した前記使用者の顔の向きに応じて、前記表示手段に表示されている画像の向きを変更する処理を行う、
ようにしたことを特徴とする請求項１〜請求項４のいずれかに記載の撮像装置。
【請求項６】
前記判別手段は、前記使用者の瞳の色を判別し、
前記画像処理手段は、前記判別手段が判別した前記使用者の瞳の色に応じて、前記表示手段に表示されている瞳部分に所定の効果が得られるように、前記表示手段に表示されている画像に対する画像処理を行う、
ようにしたことを特徴とする請求項１〜請求項４のいずれかに記載の撮像装置。
【請求項７】
前記判別手段は、前記使用者の年齢を判別し、
前記画像処理手段は、前記判別手段が判別した前記使用者の年齢に応じて、前記表示手段に表示されている顔或いは顔の部分に所定の効果が得られるように、前記表示手段に表示されている画像に対する画像処理を行う、
ようにしたことを特徴とする請求項１〜請求項４のいずれかに記載の撮像装置。
【請求項８】
前記判別手段は、前記使用者の性別を判別し、
前記画像処理手段は、前記判別手段が判別した前記使用者の性別に応じて、前記表示手段に表示されている顔或いは顔の部分に所定の効果が得られるように、前記表示手段に表示されている画像に対する画像処理を行う、
ようにしたことを特徴とする請求項１〜請求項４のいずれかに記載の撮像装置。
【請求項９】
前記画像処理手段は、前記判別手段が判別した顔或いは顔の部分の状態に応じて、前記表示手段に表示されている画像の該顔或いは顔の部分を除く領域に所定の効果が得られるように、前記表示手段に表示されている画像に対する画像処理を行う、
ようにしたことを特徴とする請求項１〜請求項４のいずれかに記載の撮像装置。
【請求項１０】
撮像した画像を表示する表示手段と、前記表示手段を構成する画面の配設方向に対して略同方向を撮像方向とし、該画面を見る使用者を撮像する撮像手段と、を備えた撮像装置における撮像方法であって、
前記撮像手段により撮像された使用者の顔を検出する検出工程と、
前記検出工程により検出された使用者の顔或いは顔の部分の状態を判別する判別工程と、
前記判別工程により判別された顔或いは顔の部分の状態に応じて、前記表示手段に表示されている画像に対して画像処理を行う画像処理工程と、
を含むことを特徴とする撮像方法。
【請求項１１】
撮像した画像を表示する表示手段と、前記表示手段を構成する画面の配設方向に対して略同方向を撮像方向とし、該画面を見る使用者を撮像する撮像手段と、を備えた撮コンピュータに、
前記撮像手段により撮像された使用者の顔を検出する検出機能、
前記検出機能により検出された使用者の顔或いは顔の部分の状態を判別する判別機能、
前記判別機能により判別された顔或いは顔の部分の状態に応じて、前記表示手段に表示されている画像に対して画像処理を行う画像処理機能、
を実現させるためのプログラム。